(57)【要約】【課題】  １−２相駆動によるステッピングモータで絞りの保持通電をきると、停止位置が２相の位置となり、絞り径もずれ、その分だけ目標とする露出からずれてしまうという問題があった。【解決手段】  そこで、本願技術思想では、ユーザの設定した制御値に基づいて算出されたレンズユニットの絞り値を表示するとともに当該絞り値と異なる絞り値に対応する信号を算出する。【選択図】  図４
2010276674.tif 000002
【特許請求の範囲】
【請求項１】
ステッピングモータで制御されるレンズユニットの絞りの量、前記レンズユニットを通過した被写体像を受光する撮像手段の蓄積時間、前記撮像手段からの信号のゲインをユーザがそれぞれ制御値として設定できる設定手段と、
前記制御値を表示することができる表示手段と、
被写体像の輝度情報と前記ユーザが設定した制御値とに基づいてレンズユニットの絞り値を取得する取得手段と、
前記取得手段で取得した絞り値に応じて前記レンズユニットの絞りを制御するための制御信号を算出する算出手段とを有し、
前記ユーザの設定した制御値に基づく前記取得手段で取得したレンズユニットの絞り値が、第１の絞り値の場合には当該第１の絞り値に基づく値を前記表示手段が表示するとともに前記算出手段が前記第１の絞り値に対応する信号を算出し、第２の絞り値の場合には当該第２の絞り値に基づく値を前記表示手段が表示するとともに前記算出手段が前記第２の絞り値と異なる第３の絞り値に対応する信号を算出することをを特徴とする撮像装置。
【請求項２】
前記第１、第３の絞り値は、前記第２の絞り値に対して、前記ステッピングモータが安定する絞り値であることを特徴とする請求項１に記載の撮像装置。
【請求項３】
前記第２の算出手段は、前記ユーザの設定した制御値に基づく前記第１の算出手段で算出されたレンズユニットの絞り値が、前記第２の絞り値の場合には、前記ユーザの設定した制御値としてのゲインに対して異なるゲインを算出することを特徴とする請求項１または２に記載の撮像装置。
【請求項４】
ステッピングモータで制御されるレンズユニットの絞りの量、前記レンズユニットを通過した被写体像を受光する撮像手段の蓄積時間、前記撮像手段からの信号のゲインをユーザがそれぞれ制御値として設定できる設定手段と、前記制御値を表示することができる表示手段と、被写体像の輝度情報と前記ユーザが設定した制御値とに基づいてレンズユニットの絞り値を取得する取得手段と、前記取得手段で取得した絞り値に応じて前記レンズユニットの絞りを制御するための制御信号を算出する算出手段とを有する撮像装置の制御プログラムであって、
前記ユーザの設定した制御値に基づく前記取得手段で取得したレンズユニットの絞り値が、第１の絞り値の場合には当該第１の絞り値に基づく値を前記表示手段が表示するとともに前記算出手段が前記第１の絞り値に対応する信号を算出し、第２の絞り値の場合には当該第２の絞り値に基づく値を前記表示手段が表示するとともに前記算出手段が前記第２の絞り値と異なる第３の絞り値に対応する信号を算出することを特徴とする制御プログラム。
【発明の詳細な説明】
【技術分野】
【０００１】
本発明は、電子ビューファインダ機能を有する撮像装置、その制御方法、及びコンピュータプログラムに関する。
【背景技術】
【０００２】
従来、動画モニタ機能を有する電子スチルカメラ、すなわちモニタ等に撮影前画像を出力する機能（電子ビューファインダ（ＥＶＦ）、ライブビュー機能）を有する電子スチルカメラが知られている。
【０００３】
このような電子スチルカメラにおいて、ＣＭＯＳやＣＣＤによって得られた映像信号は、データ処理部等によって所定の処理が施された後、モニタに動画として出力される。なお、このモニタ出力される画像の露出は、映像信号が所定の値となるように、制御パラメータ（蓄積時間：Ｔｖ、絞り：Ａｖ、ＩＳＯ：Ｓｖ）を切り換えることで制御されている。この３つの制御パラメータの組み合わせは、プログラム線図で決まっていて、画像信号が所定値となるような信号が得られると、その各制御パラメータの値から被写体輝度Ｅｖ値が求まり、それからＢｖ値が決まる。以下は、ＥｖとＢｖ、そして、Ｔｖ、Ａｖ、Ｓｖとの関係式である。
Ｅｖ＝Ｂｖ＋Ｓｖ＝Ｔｖ＋Ａｖ
そのため、カメラで設定する静止画撮影のＴｖ、Ａｖ、Ｓｖと、ライブビュー画像のＴｖ、Ａｖ、Ｓｖは異なる。
【０００４】
従来、通電を継続した際にロータが停止できる位置の数に対し、通電を切った時にロータがコギングトルクにより安定して停止していられる位置の数は１／２にできる（特許文献１）。
【先行技術文献】
【特許文献】
【０００５】
【特許文献１】特開平０１−１６４２５８号公報
【発明の概要】
【発明が解決しようとする課題】
【０００６】
しかしながら、ユーザによる設定に基づいて、絞り値が制御される場合、ライブビュー中は比較的に長い間にわたって保持通電が必要である。そうすると、１−２相駆動方式のステッピングモータを有する従来の電磁駆動絞り装置では通電を切ったときにロータが不安定となる停止位置で通電を切ると動作が不安定になる。すなわち、コギングトルクにより小絞り方向へ１ステップ分ずれる開放方向へ１ステップ分ずれるかを特定できず、動作が不安定になるという課題があった。
【課題を解決するための手段】
【０００７】
上記目的を達成するために、本発明では、ステッピングモータで制御されるレンズユニットの絞りの量、前記レンズユニットを通過した被写体像を受光する撮像手段の蓄積時間、前記撮像手段からの信号のゲインをユーザがそれぞれ制御値として設定できる設定手段と、前記制御値を表示可能な表示手段と、被写体像の輝度情報と前記ユーザが設定した制御値とに基づいてレンズユニットの絞り値を取得する取得手段と、前記取得手段で算出された絞り値に応じて前記レンズユニットの絞りを制御するための制御信号を算出する算出手段とを有し、前記ユーザの設定した制御値に基づく前記取得手段で取得したレンズユニットの絞り値が、第１の絞り値の場合には当該第１の絞り値に基づく値を前記表示手段が表示するとともに前記算出手段が前記第１の絞り値に対応する信号を算出し、第２の絞り値の場合には当該第２の絞り値に基づく値を前記表示手段が表示するとともに前記算出手段が前記第２の絞り値と異なる第３の絞り値に対応する信号を算出する。
【発明の効果】
【０００８】
本願発明によれば、ユーザーが設定したパラメータ（Ｔｖ、Ａｖ、Ｓｖ）を使ってライブビュー画像を制御する場合に、設定するＡｖの値によらず設定された露出のライブビュー画像を提供することができる。
【図面の簡単な説明】
【０００９】
【図１】撮像装置、及びレンズユニットのブロック図である。
【図２】ステッピングモータの１相／２相位置の概略図図である。
【図３】ライブビュー（ＬＶ）での制御フローを示す図である。
【図４】ライブビュー（ＬＶ）でのパラメータを算出するフローを示す図である。
【図５】絞り値Ａｖの表示の例を示す図である。
【発明を実施するための形態】
【００１０】
以下、図面を参照して本発明の実施例を説明する。
【実施例】
【００１１】
＜構成＞
図１は、本願発明に係る撮像装置１００の構成を示す図で、撮像装置１００は、レンズユニット３００を装着可能である。１４は被写体像を所定時間に渡って露光し、電気信号に変換して出力するＣＣＤやＣＭＯＳなどの撮像素子である。撮像素子１４は、レンズユニットを通過した被写体像を受光する。１２は撮像素子１４への露光量を制御するためのシャッターである。
【００１２】
レンズ３１０に入射した光線は、一眼レフ方式によって、絞り３１２、レンズマウント３０６及び１０６、ミラー１３０、シャッター１２を介して導き、被写体像として撮像素子１４上に結像する。１６は撮像素子１４のアナログ信号出力をディジタル信号に変換するＡ／Ｄ変換器である。１８は撮像素子１４、Ａ／Ｄ変換器１６、システム制御部５０にクロック信号や制御信号を供給するタイミング発生部であり、メモリ制御部２２及びシステム制御部５０により制御される。２０は画像処理部であり、Ａ／Ｄ変換器１６からのデータ或いはメモリ制御部２２からのデータに対して所定の画素補間処理や色変換処理を行う。また、画像処理部２０においては、連続する２つの画像を使ってフレーム間の相関のズレ量とその方向を求めたり、必要に応じて、撮像した画像データを用いて所定の演算処理を行う。得られた演算結果には被写体像の輝度の情報が含まれる。この輝度情報に基づいてシステム制御部５０が、取得手段として、レンズユニットの絞り３１２の絞り値、シャッター12の開閉のタイミング、および撮像素子１４の蓄積時間を算出（取得）し制御を行う（ＡＥ（自動露出）処理）。
【００１３】
なお、システム制御部５０は、画像処理部２０の演算結果である輝度の情報でなく、別測光部を有していて、その測光部からの被写体像の輝度の情報に基づいて算出してもよい。
【００１４】
さらに、画像処理部２０においては、撮像した画像データを用いて所定の演算処理を行い、得られた演算結果に基づいてＡＷＢ（オートホワイトバランス）処理も行っている。
【００１５】
２２はメモリ制御部であり、Ａ／Ｄ変換器１６、タイミング発生部１８、画像処理部２０、画像表示メモリ２４、Ｄ／Ａ変換器２６、メモリ３０、圧縮・伸長部３２を制御する。
【００１６】
また、タイミング発生部１８の制御信号は、システム制御部５０にも入力されていて、システム制御部５０は撮像制御のタイミングが知ることが出来る。
【００１７】
Ａ／Ｄ変換器１６のデータが画像処理部２０、メモリ制御部２２を介して、或いはＡ／Ｄ変換器１６のデータが直接メモリ制御部２２を介して、画像表示メモリ２４或いはメモリ３０に書き込まれる。
【００１８】
２４は画像表示メモリ、２６はＤ／Ａ変換器、２８は不図示のカメラ外部のモニターに画像を出力するための画像出力部、２９はＴＦＴ  ＬＣＤ等から成る画像表示部である。画像表示部２９には、撮像素子１４で取得された被写体像をユーザが視認可能に表示することができる。
【００１９】
３０は撮影した静止画像や動画像を格納するためのメモリであり、所定枚数の静止画像や所定時間の動画像を格納するのに十分な記憶量を備えている。
【００２０】
また、メモリ３０はシステム制御部５０の作業領域としても使用することが可能である。
【００２１】
３２は適応離散コサイン変換（ＡＤＣＴ）等により画像データを圧縮伸長する圧縮・伸長部であり、メモリ３０に格納された画像を読み込んで圧縮処理或いは伸長処理を行い、処理を終えたデータをメモリ３０に書き込む。
【００２２】
５０は撮像装置１００全体を制御するシステム制御部である。システム制御部５０には、カメラ制御部５０Ａを備え、例えば、システム制御部５０が算出した絞り値に基づいて、算出手段として、絞り制御部３４０を介して絞り３１２を制御するための制御信号を算出する。
【００２３】
５４はシステム制御部５０での制御プログラムの実行に応じて、文字、画像、音声等を用いて動作状態やメッセージ等を表示することができる液晶表示装置である。撮像装置１００の操作部近辺の視認し易い位置に単数或いは複数個所設置され、例えばＬＣＤやＬＥＤ、発音素子等の組み合わせにより構成されている。
【００２４】
また、表示部５４は、その一部の機能が光学ファインダ１０４内に設置されている。
【００２５】
表示部５４の表示内容のうち、ＬＣＤ等に表示するものとしては、例えば、圧縮率、記録画素数、記録枚数、残撮影可能枚数がある。その他、シャッタースピード、絞り値、露出補正、電池残量、エラー、複数桁の数字による情報、レンズユニット３００の着脱状態、通信Ｉ／Ｆ動作、日付け・時刻、外部コンピュータとの接続状態を示す表示、等がある。
【００２６】
また、表示部５４の表示内容のうち、光学ファインダ１０４内に表示するものとしては、例えば、合焦、撮影準備完了、手振れ警告、フラッシュ充電、フラッシュ充電完了、シャッタースピード、絞り値、露出補正、記録媒体書き込み動作、等がある。
【００２７】
さらに、表示部５４の表示内容のうち、ＬＥＤ等に表示するものとしては、例えば、合焦等がある。
【００２８】
そして、表示部５４の表示内容のうち、ランプ等に表示するものとしては、例えば、セルフタイマー通知ランプ等がある。
【００２９】
６２、６４、７０は、システム制御部５０の各種の動作指示を入力するための操作手段であり、スイッチやダイアル、タッチパネル、視線検知によるポインティング、音声認識装置等の単数或いは複数の組み合わせで構成される。６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理等の動作開始を指示する。
【００３０】
６４はシャッタースイッチＳＷ２で、不図示のシャッターボタンの操作完了でＯＮとなる。それニ応じて、システム制御部５０は、撮像素子１４から読み出した信号をＡ／Ｄ変換器１６、メモリ制御部２２を介してメモリ３０に画像データを書き込む露光処理を行う。また、システム制御部５０は、画像処理部２０やメモリ制御部２２での演算を用いた現像処理、メモリ３０から画像データを読み出し、圧縮・伸長部３２で圧縮を行う。そして、圧縮された信号をシステム制御部５０は、記録媒体２００或いは２１０に画像データを書き込む記録処理という一連の処理の動作開始を指示する。
【００３１】
７０はダイアルや各種ボタン、タッチパネル等からなる操作部で、カメラの撮影モード（プログラム、Ａｖ優先、Ｔｖ優先、マニュアル等の各種）の切り換えるためのダイアルである。また、画像の撮影パラメータ（Ｔｖ、Ａｖ、Ｓｖ：ＩＳＯ）を変更するための選択手段でもある。メニューボタン９０はメモリカードやハードディスク等の記録媒体とのインターフェース、９２はメモリカードやハードディスク等の記録媒体と接続を行うコネクタである。
【００３２】
なお、本実施例では記録媒体を取り付けるインターフェース及びコネクタを１系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００３３】
インターフェース及びコネクタとしては、ＰＣＭＣＩＡカードやＣＦ（コンパクトフラッシュ（登録商標））カード等の規格に準拠したものを用いて構成して構わない。
【００３４】
１２０は、レンズマウント１０６内において、撮像装置１００をレンズユニット３００と接続するためのインターフェースである。１２２は撮像装置１００をレンズユニット３００と電気的に接続するコネクタ、１２４はレンズマウント１０６及び或いはコネクタ１２２にレンズユニット３００が装着されているか否かを検知するレンズ着脱検知手段である。
【００３５】
コネクタ１２２は、撮像装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【００３６】
２００はメモリカードやハードディスク等の記録媒体である。
【００３７】
記録媒体２００は、半導体メモリや磁気ディスク等から構成される記録部２０２、撮像装置１００とのインターフェース２０４、撮像装置１００と接続を行うコネクタ２０６を備えている。
【００３８】
３００は交換レンズタイプのレンズユニットである。
【００３９】
３０６は、レンズユニット３００を撮像装置１００と機械的に結合するレンズマウントである。レンズマウント３０６内には、レンズユニット３００を撮像装置１００と電気的に接続する各種機能が含まれている。３１０はレンズ、３１２は絞りである。３２０は、レンズマウント３０６内において、レンズユニット３００を撮像装置１００と接続するためのインターフェース、３２２はレンズユニット３００を撮像装置１００と電気的に接続するコネクタである。
【００４０】
コネクタ３２２は、撮像装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００４１】
３４０は、絞り３１２を制御するステッピングモータを使用した絞り制御部である。絞り制御部３４０は、システム制御部５０により算出（取得）された絞り値、その絞り値からカメラ制御部５０Ａで算出された制御信号に基づいて、シャッター１２を制御する。
【００４２】
なお、絞り制御部３４０は、レンズユニット３００内に設けられている説明をした。この点、撮像装置１００に設けられていて、レンズユニット３００内の絞り３１２を制御するようにしてもよい。
【００４３】
３４２はレンズ３１０のフォーカシングを制御するフォーカス制御部である。
【００４４】
３５０はレンズユニット３００全体を制御するレンズシステム制御部である。レンズシステム制御部３５０は、動作用の定数、変数、プログラム等を記憶するメモリの機能を備えている。また、レンズシステム制御部３５０は、レンズユニット３００固有の番号等の識別情報、管理情報、開放絞り値や最小絞り値、焦点距離等の機能情報、現在や過去の各設定値などを保持する不揮発メモリの機能も備えている。
【００４５】
＜ステッピングモータ＞
また、絞り３１２の制御には、絞り制御部３４０において、１−２相駆動でのステッピングモータが使われている。これは、図２は、１−２相駆動でのステッピングモータの概略図で、（ａ）、（ｃ）が２相位置で、（ｂ）が１相位置を表している。（ｂ）の位置を保持するには電磁石Ａ、Ｂに通電しておく必要があり、電磁石Ａ、Ｂの通電をきると、（ａ）、（ｃ）どちらかの２相位置になってしまう。したがって、１相の位置で絞りを停止し、絞り保持通電を遮断すると停止位置が保持できない。そのため絞り３４０の絞り径が変わってしまうことになる。しかも、その変化方向は、一定でないので、絞り３４０の絞り径がばらついてしまう。
【００４６】
一方で、この絞り保持通電を切らずに、長時間通電してしまうと、その分、発熱や電力消費が大きくなる弊害があるので、絞りの保持通電を切る必要もある。
【００４７】
そのため、絞り保持通電を切っても、精度を維持するために、２相の位置で絞りを停止する必要がある。絞りの停止位置が１相位置になるか２相位置になるかは、絞りの待機位置からの駆動量が、奇数か偶数かで判別できる。一般に、静止画撮影では、Ｔｖの最長秒時がせいぜい３０秒程度なので、絞りの保持通電を切らなくて済む。そのため、絞りの停止位置が１相だろうと２相だろうと問題ではなく、そのため、絞り径が変わることはない。この点、画像表示部２９に被写体像の表示を繰り返すライブビュー（ＬＶ）では、動作時間が長いのでステッピングモータへの通電は、絞り駆動の際にのみ行い、絞り駆動後は、ステッピングモータへの通電をきっている。そこで、ライブビュー中の絞り駆動の制御は、２相位置で止めて保持通電を切るようにする。
【００４８】
＜制御フロー＞
図３は本発明の実施例のライブビュー（ＬＶ）での画像表示動作を説明するためのフローチャートである。特に示さない限りシステム制御部５０が制御プログラムに基づいて制御するものである。
【００４９】
まず、ライブビュー（ＬＶ）が開始すると、システム制御部５０は、シャッター制御部４０に対してシャッター１２を開いて光線を撮像素子１４へと入射させるよう指示する（Ｓ５０３）。それに伴って、システム制御部５０は、撮像素子１４の蓄積を開始さる（Ｓ５０３）。
【００５０】
システム制御部５０は、撮像素子１４の所定時間の電荷の蓄積動作を終了させた後（Ｓ５０５）、被写体像の像信号を撮像素子１４から読み出し（Ｓ５０６）、画像処理部２０に対して現像処理を行わせる（Ｓ５０７）。さらに、後述するように、被写体像の輝度情報（測光値）からパラメータの演算を行う（Ｓ５０８）。
【００５１】
また、ユーザが設定した絞り値Ａｖなどのパラメータや演算されたパラメータは、必要に応じて表示部５４でユーザが視認可能に表示される（Ｓ５２０）。また、カメラ制御部５０Ａは、絞り３１２を制御するための制御信号をレンズユニット３００の絞り制御部３４０へ送信する（Ｓ５２１）。
【００５２】
また、システム制御部５０は、現像処理された被写体像をライブビュー画像として画像表示部２９に表示する（Ｓ５０９）。
【００５３】
システム制御部５０は、ユーザの操作などに応じて、ライブビュー（ＬＶ）を継続すると判断した場合は、Ｓ５０３に戻り、一連の動作を繰り返す（Ｓ５１０）。システム制御部５０は、ユーザの操作などに応じて、ライブビュー（ＬＶ）を終了すると判断した場合は、撮像素子１４の蓄積動作を終了し（Ｓ５１１）、シャッター１２を閉じる（Ｓ５１２）。
【００５４】
図４は図３のフロー図のＳ５０９でのパラメータ演算を説明するためのフローチャートである。
【００５５】
画像表示部２９に被写体像を表示する際に、被写体像を取得する際の露出制御のために、制御パラメータとして蓄積時間Ｔｖ、絞り値Ａｖ、ＩＳＯ（ゲインの量）Ｓｖを決める必要がある。
【００５６】
まず、カメラ制御部５０Ａは、絞りの待機位置とレンズの開放絞りの位置とに差があるか、そして、差がある場合のパルス数をレンズから取得する（Ｓ２０２）。次に、システム制御部５０が、制御値パラメータを演算で求めるか、ユーザー設定値を使うかを、操作部７０のダイアルで、カメラの撮影モードがマニュアルかどうかで判断（Ｓ２０３）する。マニュアル設定以外では、システム制御部５０が、画像処理部２０が求めた被写体輝度Ｅｖから制御パラメータとして蓄積時間Ｔｖ、絞り値Ａｖ、ＩＳＯ（ゲインの量）Ｓｖを算出する（Ｓ２０４）。
【００５７】
マニュアルモードでは、システム制御部５０が、ユーザの操作に基づいて設定された制御値（蓄積時間：Ｔｖ、絞り：Ａｖ、ＩＳＯ：Ｓｖ）を取得する（Ｓ２０５）。そしてカメラ制御部５０Ａは、システム制御部５０が算出した絞り値で制御した場合のステッピングモータの制御位置が１相になるか２相になるかをチェックする（Ｓ２０６）。すなわち、カメラ制御部５０Ａは、ステッピングモータへの保持通電を遮断したときに停止位置に留まることができる絞り値であるか、不安定になる絞り値であるかをチェックする。カメラ制御部５０Ａは、システム制御部５０が算出（取得）した絞り値が２相停止位置に相当する場合には、そのまま対応する制御信号を算出する。一方で、カメラ制御部５０Ａは、システム制御部５０が算出（取得）した絞り値が１相停止位置に相当する場合には、Ｓ２０７へ移行する。
【００５８】
なお、絞りの停止位置が１相位置になるか２相位置になるかは、絞りの待機位置からの駆動パルス量が、奇数か偶数かで判断できる。したがって、カメラ制御部５０ＡがＳ２０２でレンズから取得したオフセットパルスと、制御する絞りの値との和が偶数になるか、奇数になるかをチェックする。
【００５９】
そして、カメラ制御部５０Ａは、システム制御部５０が算出した絞り値に基づくと、ステッピングモータの停止位置が１相位置となる場合には、まず、Ｓｖが取りうる値の上限となっていないかの確認する（Ｓ２０７）。上限でなければ、Ａｖを増やし（閉じる方向）（Ｓ２０８）、上限であれば減らし（開く方向）（Ｓ２０９）て、停止位置が２相位置となるようにする。
【００６０】
そして、カメラ制御部５０Ａは、Ａｖの変化分を補正するためのＳｖを求め（Ｓ２１０）、制御パラメータを決定する。
【００６１】
なお、上記説明では、絞りを閉じる方向に停止位置を変える値を、Ｓｖが上限値の場合としたが、これは、逆にＳｖが取りうる下限値以外であれば、特に上限値にこだわらない。
【００６２】
上記説明では、Ｓｖを使ってＡｖの変化分を補正したが、Ｔｖを用いても良い。ただし、上記説明でＳｖを使ってＡｖの変化分を補正するようにしたのは次の理由による。例えば、Ｓ２０４では、ライブビュー用線図から、Ｔｖ，Ａｖ，Ｓｖのそれぞれの値ををするので、Ｓｖ、Ｔｖ共に用いてよい。別途、蛍光灯などのフリッカー用の線図が用意されているからである。したがって、蛍光灯などのフリッカーが発生していない場合には、Ｓｖ、Ｔｖ共に用いてよい。ところが、マニュアルの場合には、ユーザがＴｖ値を設定する。このＴｖ値は、ユーザがフリッカーを考慮した結果のＴｖである場合とそうでない場合とがある。したがって、マニュアルの場合には、Ａｖ値の補正として、Ｔｖ値を優先して用いるのでなく、まずＳｖ値を優先して用いるメリットがある。
【００６３】
このようにして算出された制御信号である駆動パルスは、図３のＳ５２０で説明したように絞り制御部３４０へ送信される。したがって、ユーザが設定した絞り値がステッピングモータが安定して停止できる位置にならない場合には、表示部５４に表示される絞り値とカメラ制御部５０Ａは異なる絞り値に対応する絞り３１２の制御信号を絞り制御部３４０へ送信することになる。
【００６４】
また、表示部５４に表示されるＳｖ値（ＩＳＯ情報）やＴｖ値においても、上記のように異なる絞り値の算出に伴うＳｖ値（ＩＳＯ情報）またはＴｖ値補正を行う場合には、そうでない場合と若干異なるＳｖ値（ＩＳＯ情報）やＴｖ値を表示することになる。
【００６５】
＜絞り値の表示＞
図５は、上述した図３でのＳ５２０でユーザが設定した絞り値Ａｖなどのパラメータや演算されたパラメータが、表示部５４でユーザが視認可能に表示される様子である。図５（ａ）は通常表示を示す図である。同（ｂ）（ｃ）はラチチュード情報を表示している状態を示す図である。同図において、６０１はＴｖ（シャッタスピード）値などを表示する７セグメント表示部、６０２はＡｖ（絞り）値を表示する７セグメント表示部、６０３はカメラのバッテリ残量表示部である。６０５は、ＩＳＯ情報（この際は図示の通り、「ＩＳＯ」なる表示が同時に出る）を表示する表示部である。また、６０４は撮影可能枚数表示部、６０６は露出補正量やラチュードを表示するバー表示部である。
【符号の説明】
【００６６】
１２  シャッター
１４  撮像素子
２９  画像表示部
４０  シャッター制御手段
５０  システム制御部
５４  表示部
１００  撮像装置
３００  レンズユニット
３１２  絞り
３４０  絞り制御手段
【図１】
2010276674.tif 000003
【図２】
2010276674.tif 000004
【図３】
2010276674.tif 000005
【図４】
2010276674.tif 000006
【図５】
2010276674.tif 000007